(57)【要約】【課題】  非接触ＩＣカードの通常の使用を妨げることなく、不正な読取を検知することが可能な非接触読み取り警告装置を提供する。【解決手段】  アンテナコイル１１が、非接触読取装置からの電波を受信して電力供給を受けると、非接触読取装置からの電力供給を受け、整流回路１３が、交流電流を直流電流に変換する。そして、変換により得られた直流電流によりＣＰＵ１４が駆動し、サウンドドライバ１５を介して、スピーカ１６からブザー音を発する。【選択図】  図１
2007188382.tif 000002
【特許請求の範囲】
【請求項１】
非接触読取装置からの電波を受信して電力供給を受けるとともに、電波を発信するアンテナコイルと、
前記非接触読取装置からの電力供給を受け、交流電流を直流電流に変換する整流回路と、
前記変換により得られた直流電流により駆動し、サウンドドライバを内蔵したＣＰＵと、
前記ＣＰＵからの信号に従って発音するスピーカと、
を有することを特徴とする非接触読み取り警告装置。
【請求項２】
樹脂性のカード基材２枚の間に、
非接触読取装置からの電波を受信して電力供給を受けるとともに、電波を発信するアンテナコイルと、
前記非接触読取装置からの電力供給を受け、交流電流を直流電流に変換する整流回路と、
前記変換により得られた直流電流により駆動し、サウンドドライバを内蔵したＣＰＵと、
前記ＣＰＵからの信号に従って発音するスピーカを挟み込んだ構成としたことを特徴とする非接触読み取り警告カード。
【請求項３】
樹脂性のホルダ基材内部に、
非接触読取装置からの電波を受信して電力供給を受けるとともに、電波を発信するアンテナコイルと、
前記非接触読取装置からの電力供給を受け、交流電流を直流電流に変換する整流回路と、
前記変換により得られた直流電流により駆動し、サウンドドライバを内蔵したＣＰＵと、
前記ＣＰＵからの信号に従って発音するスピーカを有するとともに、非接触読取式記録媒体を挿入するための空洞を備えたことを特徴とする非接触読み取り警告ホルダ。
【請求項４】
樹脂性のホルダ基材内部に、
非接触読取装置からの電波を受信して電力供給を受けるとともに、電波を発信するアンテナコイルと、
前記非接触読取装置からの電力供給を受け、交流電流を直流電流に変換する整流回路と、
前記変換により得られた直流電流により駆動し、サウンドドライバを内蔵したＣＰＵと、
前記ＣＰＵからの信号に従って発音するスピーカを有するとともに、
前記ホルダ基材との間で非接触読取式記録媒体を挟むためのクリップを備えたことを特徴とする非接触読み取り警告ホルダ。
【発明の詳細な説明】
【技術分野】
【０００１】
本発明は、非接触読取式の情報記録媒体からの、不正な読み取りを検知するための技術に関する。
【背景技術】
【０００２】
現在、非接触読取式の情報記録媒体である非接触式ＩＣカードが、電車等交通機関の切符、プリペイド式電子マネー、ＩＤカード（入退室管理など）等の幅広い用途に用いられている。この非接触式ＩＣカードは、アンテナコイルを内蔵し、電磁誘導により外部リーダライタから電力供給を受け、データの送受信も行っている。銀行ＡＴＭなどで使用されている接触式ＩＣカードと異なり、ある程度距離が離れていても通信が可能である（数ｍｍから数ｃｍ）。そのため、定期入れの中に入れたままで改札を通ることもできる（定期入れが磁界を遮る材料でできている場合は不可）など、利用シーンによっては利便性が高い。
【０００３】
問題は、悪意ある第三者が電車の中などで、携帯型のリーダライタを携帯して、非接触式ＩＣカードの所持者に近付き、情報を読み取ることが可能な点である。通常、非接触式ＩＣカードに記録されたデータは暗号化されているが、何らかのＩＤを読み取ったり、改ざんしたり、破壊する可能性もある。これらを防止するため、電磁波遮断シートを財布などに内蔵して不正な読み取りを防ぐ技術が開発されている（特許文献１参照）。
【特許文献１】特開２００３−３００５７９号公報
【発明の開示】
【発明が解決しようとする課題】
【０００４】
しかしながら、上記特許文献１に記載の発明では、非接触式ＩＣカードを使用する場合には、財布などから出すか、あるいは、遮断シート部を開いてＩＣカードと重ならないようにする等の手間がかかる。例えば、改札などでそうした定期入れに入れたままＩＣカードを改札機にかざしてしまうと通信ができず、改札が閉じて通過に失敗してしまうという問題がある。
【０００５】
そこで、本発明は、非接触ＩＣカードの通常の使用を妨げることなく、不正な読取を検知することが可能な非接触読み取り警告装置を提供することを課題とする。
【課題を解決するための手段】
【０００６】
上記課題を解決するため、本発明では、非接触読取装置からの電波を受信して電力供給を受けるとともに、電波を発信するアンテナコイルと、前記非接触読取装置からの電力供給を受け、交流電流を直流電流に変換する整流回路と、前記変換により得られた直流電流により駆動し、サウンドドライバを内蔵したＣＰＵと、前記ＣＰＵからの信号に従って発音するスピーカを有する非接触読み取り警告装置を提供する。
【発明の効果】
【０００７】
本発明の非接触読み取り警告装置によれば、非接触式ＩＣリーダ等の非接触読取装置からの電波をアンテナコイルが受信して電力供給を受けると、整流回路が交流電流を直流電流に変換し、この直流電流によりＣＰＵが駆動してスピーカからブザー音を発するようにしたので、非接触読取装置の接近を検知することが可能となる。したがって、データを記録した非接触ＩＣカード等と近接させて所持していれば、何者かが非接触ＩＣカードからデータを不正に読み取ろうとした際に、その読取行為を知らせることが可能となるという効果を奏する。
【０００８】
また、本発明の非接触読み取り警告カードによれば、非接触読み取り警告装置をカード状に形成したので、非接触ＩＣカード等と重ねて財布や定期入れに入れることができるため、非接触ＩＣカード等に近接して所持し易くなる。
【０００９】
また、本発明の非接触読み取り警告ホルダによれば、非接触読取装置を保持し易い形状に形成したので、必然的に非接触ＩＣカード等に近接して所持されることになる。
【発明を実施するための最良の形態】
【００１０】
以下、本発明の好適な実施形態について、図面を参照して詳細に説明する。
（第１の実施形態）
まず、第１の実施形態について説明する。図１は、本発明第１の実施形態に係る非接触読み取り警告カードの内部構造を示す図である。図１において、１１はカード基材、１２はアンテナコイル、１３は整流回路、１４はＣＰＵ、１５はサウンドドライバ、１６はスピーカである。アンテナコイル１２、整流回路１３、ＣＰＵ１４、サウンドドライバ１５、スピーカ１６により非接触読み取り警告装置を構成しており、これが２枚のカード基材１１により覆われて、非接触読み取り警告カードが形成されることになる。
【００１１】
カード基材１１は、樹脂性の板であり、このカード基材１１上に、アンテナコイル１２、整流回路１３、ＣＰＵ１４、サウンドドライバ１５、スピーカ１６が配置される。アンテナコイル１２は、非接触読取装置（非接触式ＩＣリーダ）からの電波を受信して電力供給を受けるとともに、電波を発信するアンテナコイルである。アンテナコイル１２としては、例えばＩＳＯ１４４４３ＴｙｐｅＡ，Ｂに準拠したものを採用することができる。整流回路１３は、非接触読取装置からの電力供給を受け、交流電流を直流電流に変換するためのものであり、ブリッジダイオード等で実現可能である。
【００１２】
ＣＰＵ１４は、変換により得られた直流電流により駆動し、非接触読取装置から受信した信号に従って、スピーカ１６に発音指令を伝達する処理を行うものである。また、ＣＰＵ１４は、サウンドドライバ１５を内蔵しており、サウンドドライバ１５を起動することにより、スピーカ１６で発音するブザー音を合成する。スピーカ１６は、ＣＰＵからの信号に従って発音するためのものである。スピーカ１６は、カード内に収めるため、薄型のものを採用している。例えば、厚さ０．５ｍｍ程度の圧電積層スピーカ（例えば、北陸電気工業HAP-BME-20-13N01）を採用することができる。また、フィルム状のスピーカを採用しても良い。
【００１３】
そして、２枚のカード基材１１により、アンテナコイル１２、整流回路１３、ＣＰＵ１４、サウンドドライバ１５、スピーカ１６を挟み込むことにより、非接触読み取り警告カード１０が形成される。カード基材１１の縦横のサイズは、非接触ＩＣカードと重ねて財布等に入れ易いように、ＩＳＯ７８１６−１で定められたＩＣカードと同じサイズとすることが望ましい。非接触読み取り警告カード１０の厚みは、必ずしもＩＳＯ７８１６−１に準拠する必要はない。
【００１４】
利用の際、図１に示した非接触読み取り警告カード１０を、データを記録した非接触ＩＣカードと重ねて、財布、定期入れ等に入れておく。非接触ＩＣカードを利用する際には、従来と同様、改札などで定期入れに入れたまま改札機にかざすと、非接触ＩＣカードと改札機の間で通信を行い、ゲートを通過することができる。非接触ＩＣカードと重ねて非接触読み取り警告カード１０を所持した状態で、非接触式ＩＣリーダが近付くと、非接触読み取り警告カード１０内のアンテナコイル１２が、非接触式ＩＣリーダからの電波を受信し、整流回路１３を介してＣＰＵ１４を駆動させ、ＣＰＵ１４は、サウンドドライバ１５を介してスピーカ１６に発音させる。すなわち、非接触読み取り警告カード１０に非接触式ＩＣリーダが近付くと、非接触読み取り警告カード１０は音を発することになる。このため、非接触読み取り警告カード１０の所持者は、近くに非接触式ＩＣリーダが存在することを知ることができるため、データの漏洩に注意することができ、非接触式ＩＣリーダの所持者は、自分が所持している非接触式ＩＣリーダの存在を知られてしまうため、不正を行いづらくなる。
【００１５】
（第２の実施形態）
続いて、第２の実施形態について説明する。図２は、本発明第２の実施形態である非接触読み取り警告ホルダの斜視図である。図２中、図１と同一のものについては、同一符号を付して説明は省略する。図２において、２１はホルダ基材、２２は挿入孔である。
【００１６】
ホルダ基材２１は、カード基材１１と同様、樹脂性である。非接触読み取り警告カード１０では、２枚にカード基材１１で、アンテナコイル１２、整流回路１３、ＣＰＵ１４、サウンドドライバ１５、スピーカ１６を挟み込む構造としたが、非接触読み取り警告ホルダ２０は、ホルダ基材２１を、挿入孔２２から続く空洞を有する形状に成型している。
【００１７】
図２に示すように、アンテナコイル１２、整流回路１３、ＣＰＵ１４（サウンドドライバ１５内蔵）、スピーカ１６は、ホルダ基材２１の内部に設置されている。これらは、二重構造とした２枚のホルダ基材２１間に挟み込むように設置しても良いし、ホルダ基材２１内部の空洞に設置されていても良い。いずれにしても、非接触読み取り警告ホルダ２０外部からは見えないように設置されている。
【００１８】
利用の際は、図２に示すように、挿入孔２２から、非接触読み取り警告ホルダ２０内部に、データを記録した非接触ＩＣカードを挿入しておく。非接触読み取り警告ホルダ２０は、非接触ＩＣカードを保持した状態で持ち運ばれることになる。非接触ＩＣカードを利用する際には、非接触読み取り警告ホルダ２０に入れたまま改札機にかざすと、非接触ＩＣカードと改札機の間で通信を行い、ゲートを通過することができる。非接触読み取り警告ホルダ２０に非接触ＩＣカードを入れた状態で、非接触式ＩＣリーダが近付くと、非接触読み取り警告カード１０の場合と同様、非接触読み取り警告ホルダ２０内のアンテナコイル１２が、非接触式ＩＣリーダからの電波を受信し、整流回路１３を介してＣＰＵ１４を駆動させ、ＣＰＵ１４は、サウンドドライバ１５を介してスピーカ１６に発音させる。
【００１９】
（第３の実施形態）
続いて、第３の実施形態について説明する。図３は、本発明第３の実施形態である非接触読み取り警告ホルダの斜視図である。図３中、図１、図２と同一のものについては、同一符号を付して説明は省略する。図３において、３１はホルダ基材、３２はクリップである。
【００２０】
ホルダ基材３１は、カード基材１１、ホルダ基材２１と同様、樹脂性である。非接触読み取り警告ホルダ２０では、ホルダ基材２１を、挿入孔２２から続く空洞を有する形状としたが、非接触読み取り警告ホルダ３０は挿入孔を有さず、ホルダ基材３１内の閉じられた空間内に、アンテナコイル１２、整流回路１３、ＣＰＵ１４、サウンドドライバ１５、スピーカ１６が設置されている。したがって、非接触読み取り警告ホルダ３０外部からは見えないように設置されている。
【００２１】
また、非接触読み取り警告ホルダ３０はクリップ３２を有している。このクリップ３２は、ホルダ基材３１との間で非接触ＩＣカードを挟むためのものであり、クリップ３２の先端部分が弾性によりホルダ基材３１側に付勢されたものとなっている。
【００２２】
利用の際は、図３に示すように、クリップ３２とホルダ基材３１との間に、データを記録した非接触ＩＣカードを挟んでおく。非接触読み取り警告ホルダ３０は、非接触ＩＣカードを保持した状態で持ち運ばれることになる。非接触ＩＣカードを利用する際には、非接触読み取り警告ホルダ３０に入れたまま改札機にかざすと、非接触ＩＣカードと改札機の間で通信を行い、ゲートを通過することができる。非接触読み取り警告ホルダ３０に非接触ＩＣカードを入れた状態で、非接触式ＩＣリーダが近付くと、非接触読み取り警告カード１０の場合と同様、非接触読み取り警告ホルダ３０内のアンテナコイル１２が、非接触式ＩＣリーダからの電波を受信し、整流回路１３を介してＣＰＵ１４を駆動させ、ＣＰＵ１４は、サウンドドライバ１５を介してスピーカ１６に発音させる。
【００２３】
以上、本発明の好適な実施形態について説明したが、本発明は上記実施形態に限定されず、種々の変形が可能である。例えば、上記実施形態では、外部の非接触読取装置から電源の供給を受けるようにしたが、スピーカ１６から大きい音を出すためにバッテリを備えるようにしても良い。
【００２４】
また、上記実施形態では、ＣＰＵ１４がサウンドドライバ１５を搭載してブザー音を鳴らすようにしたが、ＣＰＵ１４がＥＥＰＲＯＭを搭載し、ｍｐ３やＰＣＭなどの音楽情報を再生するようにしても良い。
【００２５】
また、上記実施形態では、非接触読み取り警告装置単体を内蔵したカードまたはホルダの形態について説明したが、データを記録した非接触ＩＣカードに内蔵するようにしても良い。この場合、整流回路１３およびＣＰＵ１４は、非接触ＩＣカードのＣＰＵそのものを用いるようにしても良いし、非接触ＩＣカードのＣＰＵとは別に用意しても良い。
【図面の簡単な説明】
【００２６】
【図１】本発明第１の実施形態に係る非接触読み取り警告カードの内部構造を示す図である。
【図２】本発明第２の実施形態である非接触読み取り警告ホルダの斜視図である。
【図３】本発明第３の実施形態である非接触読み取り警告ホルダの斜視図である。
【符号の説明】
【００２７】
１１・・・カード基材
１２・・・アンテナコイル
１３・・・整流回路
１４・・・ＣＰＵ
１５・・・サウンドドライバ
１６・・・スピーカ
２１・・・ホルダ基材
２２・・・挿入孔
３１・・・ホルダ基材
３２・・・クリップ
【図１】
2007188382.tif 000003
【図２】
2007188382.tif 000004
【図３】
2007188382.tif 000005